(57)【要約】【課題】  連結リンクにおける異物の挟み込みを防止できるようにする。【解決手段】  各脚体３の上下方向途中に基端部が支軸４を介して連結配置されかつ先端部が互いに連結ピン５で連結された一対のリンク６を備える。第１リンク６Ａと第２リンク６Ｂとはそれぞれ、中途部Ｅから先端部までの連結片部Ｒと中途部Ｅから基端部までの支持片部Ｓとを一体成形しており、第１リンク６Ａの連結片部Ｒと第２リンク６Ｂの連結片部Ｒとは、脚体閉脚時において、連結ピン５から支軸４を通る第１リンク６Ａの中心線Ｃと連結ピン５から支軸４を通る第２リンク６Ｂの中心線Ｃとが鋭角の挟角Ｃθになるように、互いに近づいて交差する挟持縁Ｒａを有しており、第１リンク６Ａの連結片部Ｒの挟持縁Ｒａと第２リンク６Ｂの連結片部Ｒの挟持縁Ｒａとは、脚体閉脚時において、挟持縁Ｒａの挟角Ｒθが略鈍角になるように、各中心線Ｃと交差している。【選択図】図１
2020183659.tif 000002
【特許請求の範囲】
【請求項１】
上端部で互いに回動自在に連結されて開閉可能とされた一対の梯子状の脚体（３、３）の間に設けられていて、この一対の脚体（３、３）の開き止めを行う脚体開き止め装置であって、
脚体開脚時に一対の脚体（３、３）を上方に向かって間隔が狭くなる開脚角度に停止保持させるべく、各脚体（３）の上下方向途中に基端部が支軸（４）を介して連結配置されかつ先端部が互いに連結ピン（５）で連結された一対のリンク（６）を備えており、
前記一対のリンク（６）は第１リンク（６Ａ）と第２リンク（６Ｂ）とを有し、第１リンク（６Ａ）と第２リンク（６Ｂ）とはそれぞれ、中途部（Ｅ）から先端部までの連結片部（Ｒ）と中途部（Ｅ）から基端部までの支持片部（Ｓ）とを一体成形しており、
前記第１リンク（６Ａ）の連結片部（Ｒ）と第２リンク（６Ｂ）の連結片部（Ｒ）とは、脚体閉脚時において、連結ピン（５）から支軸（４）を通る第１リンク（６Ａ）の中心線（Ｃ）と連結ピン（５）から支軸（４）を通る第２リンク（６Ｂ）の中心線（Ｃ）とが鋭角の挟角（Ｃθ）になるように、互いに近づいて交差する挟持縁（Ｒａ）を有しており、
前記第１リンク（６Ａ）の連結片部（Ｒ）の挟持縁（Ｒａ）と第２リンク（６Ｂ）の連結片部（Ｒ）の挟持縁（Ｒａ）とは、脚体閉脚時において、挟持縁（Ｒａ）の挟角（Ｒθ）が略鈍角になるように、前記各中心線（Ｃ）と交差していることを特徴とする脚体開き止め装置。
【請求項２】
前記第１リンク（６Ａ）の支持片部（Ｓ）と第２リンク（６Ｂ）の支持片部（Ｓ）とは、脚体閉脚時において、互いに近づいて対向する対向縁（Ｓａ）を有しており、
前記第１リンク（６Ａ）の支持片部（Ｓ）の対向縁（Ｓａ）と第２リンク（６Ｂ）の支持片部（Ｓ）の対向縁（Ｓａ）とは、脚体閉脚時において、略平行に対向するように、前記各中心線（Ｃ）と交差していることを特徴とする請求項１に記載の脚体開き止め装置。
【請求項３】
前記脚体（３）は左右一対の支柱（３ａ）を上下複数段の桟部材（３ｂ）で連結しており、
前記第１リンク（６Ａ）の支持片部（Ｓ）と第２リンク（６Ｂ）の支持片部（Ｓ）とは、各脚体（３）の支柱（３ａ）の側面に添接して前記支軸（４）で支持されており、
前記第１リンク（６Ａ）の支持片部（Ｓ）と第２リンク（６Ｂ）の支持片部（Ｓ）とは、脚体開閉動作時に支柱（３ａ）の側面と略全長に亘って重合する対向外縁（Ｓｂ）を有していることを特徴とする請求項１又は２に記載の脚体開き止め装置。
【請求項４】
前記第１リンク（６Ａ）と第２リンク（６Ｂ）とはそれぞれ、連結片部（Ｒ）及び支持片部（Ｓ）から中途部（Ｅ）にかけて前記中心線（Ｃ）から挟持側と反対の方向へ突出した山形形状、くの字形状又はへの字形状であることを特徴とする請求項１〜３のいずれかに記載の脚体開き止め装置。
【発明の詳細な説明】
【技術分野】
【０００１】
本発明は、脚体を開閉できる踏み台、脚立等に装備されている脚体開き止め装置に関する。
【背景技術】
【０００２】
脚立の脚体開き止め装置は、図３に２点鎖線で示すように、一対の脚体のそれぞれの上下方向途中に基端部が支軸を介して連結されたリンクを、先端部同士を互いに連結ピンで連結して構成されており、各リンクの幅方向両側縁は連結ピンから支軸を通るリンクの中心線と略平行に形成されており、脚体を閉じるときには、各リンクは支軸を中心に脚体の支柱と鋭角の挟角になるように回動し、また連結ピンを中心に鋭角（６０度前後）の挟角になるように屈曲するので、挟角の縮小に伴って異物を挟む可能性が生じる。
【０００３】
特許文献１に開示された技術は、上端部で互いに回動自在に連結されて開閉可能とされた一対の梯子状の脚体と、該脚体の開閉動作時に屈伸作動し、開脚時に該脚体を所定の開脚角度に停止保持させるべく該脚体の上下方向途中に連結配置された連結リンクとを備えた脚立において、前記連結リンクまたは前記脚体に、前記脚体の開閉動作範囲で前記脚体と前記連結リンクとの間に挟さまれて形成される鋭角空間を閉鎖するカバー片を設けている（請求項１）。
【０００４】
この従来技術によって、使用後の脚立の収納時や運搬時などにおいて、連結リンクと脚体との間で異物の噛み込みや挟み込みを防止することができ、部品点数及び組付工数の増加も回避することができる。
【先行技術文献】
【特許文献】
【０００５】
【特許文献１】特許第４８６１３５０号公報
【発明の概要】
【発明が解決しようとする課題】
【０００６】
前記従来技術は、カバー片によって脚体の開閉動作範囲で脚体とリンクとの間に挟さまれて形成される鋭角空間を閉鎖することができるが、両リンクが連結ピンを中心に鋭角の挟角になるように屈曲するときに形成される鋭角空間を閉鎖するのに利用することは困難である。
本発明は、このような従来技術の問題点を解決できるようにした脚体開き止め装置を提供することを目的とする。
【０００７】
本発明は、第１リンクと第２リンクの脚体閉脚時の挟角を略鈍角にして異物の挟み込みを防止できるようにした脚体開き止め装置を提供することを目的とする。
【課題を解決するための手段】
【０００８】
本発明における課題解決のための具体的手段は、次の通りである。
第１に、上端部で互いに回動自在に連結されて開閉可能とされた一対の梯子状の脚体３、３の間に設けられていて、この一対の脚体３、３の開き止めを行う脚体開き止め装置であって、
脚体開脚時に一対の脚体３、３を上方に向かって間隔が狭くなる開脚角度に停止保持させるべく、各脚体３の上下方向途中に基端部が支軸４を介して連結配置されかつ先端部が互いに連結ピン５で連結された一対の連結リンク６を備えており、
前記一対の連結リンク６は第１リンク６Ａと第２リンク６Ｂとを有し、第１リンク６Ａと第２リンク６Ｂとはそれぞれ、中途部Ｅから先端部までの連結片部Ｒと中途部Ｅから基端部までの支持片部Ｓとを一体成形しており、
前記第１リンク６Ａの連結片部Ｒと第２リンク６Ｂの連結片部Ｒとは、脚体閉脚時において、連結ピン５から支軸４を通る第１リンク６Ａの中心線Ｃと連結ピン５から支軸４を通る第２リンク６Ｂの中心線Ｃとが鋭角の挟角Ｃθになるように、互いに近づいて交差する挟持縁Ｒａを有しており、
前記第１リンク６Ａの連結片部Ｒの挟持縁Ｒａと第２リンク６Ｂの連結片部Ｒの挟持縁Ｒａとは、脚体閉脚時において、挟持縁Ｒａの挟角Ｒθが略鈍角になるように、前記各中心線Ｃと交差していることを特徴とする。
【０００９】
第２に、前記第１リンク６Ａの支持片部Ｓと第２リンク６Ｂの支持片部Ｓとは、脚体閉脚時において、互いに近づいて対向する対向縁Ｓａを有しており、
前記第１リンク６Ａの支持片部Ｓの対向縁Ｓａと第２リンク６Ｂの支持片部Ｓの対向縁Ｓａとは、脚体閉脚時において、略平行に対向するように、前記各中心線Ｃと交差していることを特徴とする。
【００１０】
第３に、前記脚体３は左右一対の支柱３ａを上下複数段の桟部材３ｂで連結しており、
前記第１リンク６Ａの支持片部Ｓと第２リンク６Ｂの支持片部Ｓとは、各脚体３の支柱３ａの側面に添接して前記支軸４で支持されており、
前記第１リンク６Ａの支持片部Ｓと第２リンク６Ｂの支持片部Ｓとは、脚体開閉動作時に支柱３ａの側面と略全長に亘って重合する対向外縁Ｓｂを有していることを特徴とする。
【００１１】
第４に、前記第１リンク６Ａと第２リンク６Ｂとはそれぞれ、連結片部Ｒ及び支持片部Ｓから中途部Ｅにかけて前記中心線Ｃから挟持側と反対の方向へ突出した山形形状、くの字形状又はへの字形状であることを特徴とする。
【発明の効果】
【００１２】
本発明によれば、第１リンクと第２リンクの脚体閉脚時の挟角を略鈍角にしているので、異物の挟み込みを防止できる。
即ち、請求項１に係る発明は、第１リンク６Ａの連結片部Ｒの挟持縁Ｒａと第２リンク６Ｂの連結片部Ｒの挟持縁Ｒａとを、脚体閉脚時において、挟持縁Ｒａの挟角Ｒθが略鈍角になるように、各中心線Ｃと交差しているので、脚体閉脚時に異物の挟み込みを防止できる、
請求項２に係る発明は、第１リンク６Ａの支持片部Ｓの対向縁Ｓａと第２リンク６Ｂの支持片部Ｓの対向縁Ｓａとは、各中心線Ｃと交差していて、脚体閉脚時において、略平行に対向するので、両リンク６の連結片部Ｒの挟持縁Ｒａを挟角Ｒθが略鈍角になるように形成するのが容易になり、両挟持縁Ｒａの下方を広い空間に形成できる。
【００１３】
請求項３に係る発明は、第１リンク６Ａの支持片部Ｓと第２リンク６Ｂの支持片部Ｓとは、脚体開閉動作時に支柱３ａの側面と略全長に亘って重合する対向外縁Ｓｂを有しているので、支柱３ａに対してリンク６が回動しても、両者の間に拡縮する挟み空間が形成されるのを回避できる。
請求項４に係る発明は、リンク６が中心線Ｃから挟持側と反対の方向へ突出した山形形状、くの字形状又はへの字形状であるので、各リンク６を単純な形状で、簡単かつ容易に形成できる。
【図面の簡単な説明】
【００１４】
【図１】本発明の実施形態を示す踏み台の脚体閉脚時の脚体開き止め装置の正面図である。
【図２】同実施形態の踏み台の脚体開脚時の脚体開き止め装置の正面図である。
【図３】脚体開き止め装置のリンク構造を示す説明図である。
【図４】踏み台の脚体閉脚時の正面図である。
【図５】踏み台の脚体開脚時の正面図である。
【図６】踏み台の上部の側面図である。
【図７】脚体開き止め装置の連結ピンの断面図である。
【図８】脚体開き止め装置の伸張状態の６面図を示しており、（Ａ）は正面図、（Ｂ）は平面図、（Ｃ）は底面図、（Ｄ）は背面図、（Ｅ）は右側面図、（Ｆ）は左側面図である。
【図９】本発明の変形例を示す踏み台の脚体閉脚時の脚体開き止め装置の正面図である。
【図１０】同変形例の踏み台の脚体開脚時の脚体開き止め装置の正面図である。
【発明を実施するための形態】
【００１５】
以下、本発明の実施の形態を図面に基づいて説明する。
図１〜８において、脚体開き止め装置１を踏み台２に適用した実施形態を開示している。脚体開き止め装置１は脚立に適用することも可能である。
図４〜６において、踏み台２は、一対の梯子状の脚体３、３にて構成されている。各脚体３は、上方に向かって間隔が狭くなるように適当間隔をあけて配設された一対の支柱３ａ、３ａと、これら支柱３ａ、３ａ間の上端部とその下方に適当間隔置きに配設された複数段の桟部材３ｂにて梯子状に構成されている。
【００１６】
上端部の桟部材３ｂは、内側に踏み台２の天板を一体に構成するものである。支柱３ａは断面四角形の中空型材からなり、また、桟部材３ｂは断面略三角形状の中空型材からなり、いずれもアルミ合金製とされている。
左右一対の支柱３ａ、３ａは上向きに狭くなる間隔を置いて配置されているので、水平に配置された多数段の桟部材３ｂは、左右両端に連結具７を設けて傾斜状（直交しない）の支柱３ａとビス止め又はリベット止めされている。
【００１７】
一対の脚体３、３は、上端部の桟部材３ｂの内側に一体に形成されたヒンジブラケット８、８を枢支軸９で連結して開閉可能にしている。一対の脚体３、３は開脚したとき、それぞれの最上段の桟部材３ｂの上面が水平姿勢になり、それ以上に開脚しないように両脚体３、３間に脚体開き止め装置１が設けられている。
踏み台２は、脚体閉脚したとき、一対の脚体３、３は下方に向かって間隔が僅かに狭くなり、下端が当接し、開脚したとき、一対の脚体３、３は下方に向かって間隔が広くなり（上方に向かって間隔が狭くなり）、脚体３、３の挟角（開脚角度）が３０〜５０度（図５では４０度）になる。
【００１８】
図１〜８において、脚体３、３が開脚角度以上に開くのを阻止する脚体開き止め装置１は、一対の脚体３、３の上下方向途中、最上段の桟部材３ｂの下方の支柱３ａの側面に一対の連結リンク６を連結して構成されている。
この連結リンク６は第１リンク６Ａと第２リンク６Ｂとを有し、両リンク６Ａ、６Ｂは、それぞれの基端部が支軸４、４によって脚体３の支柱３ａの側面に添接するように回動自在に取り付けられ、両先端部が連結ピン５によって互いに連結されている。
【００１９】
脚体開き止め装置１は、脚体３、３の開閉動作時に屈伸作動し、脚体開脚時に脚体３、３を所定の開脚角度に停止保持させるものである。第１リンク６Ａと第２リンク６Ｂとは、脚体３、３の開動作時に先端側（連結ピン５）が下がるように、支柱３ａ、３ａに対して支軸４、４を中心として回動して伸張動作し、脚体３、３が所定の開脚角度に達すると、略一直線状態に伸張して、一対の脚体３、３のそれ以上の開動作を規制して、動作停止保持する。
【００２０】
このとき、本実施形態では、第１リンク６Ａと第２リンク６Ｂの先端部の連結ピン５が基端部の支軸４、４と略同一直線上に並んだ位置（又は下側に少し越えた位置）で停止保持される。この状態以上に開脚方向に回動しないように、第１リンク６Ａ又は第２リンク６Ｂの一方の先端部にストッパ突起６ｃが設けられ、他方の先端部にストッパ突起６ｃと当接するストッパ受け部６ｄが設けられている。
【００２１】
なお、前記ストッパ突起６ｃと当接するストッパ受け部６ｄとは第１リンク６Ａ及び第２リンク６Ｂの両方に設けて、連結ピン５の廻り２箇所で第１リンク６Ａと第２リンク６Ｂの拡開し過ぎを規制するように構成してもよく、そのようにすれば、第１リンク６Ａと第２リンク６Ｂとを同一形状に形成することが可能になる。
連結リンク６は、図６に示すように、各脚体３、３を構成している梯子状の支柱３ａ、３ａの内側に取り付けた場合を例示しているが、支柱３ａ、３ａの外側に取り付けてもよい。
【００２２】
前記第１リンク６Ａと第２リンク６Ｂとはそれぞれ、中途部Ｅから先端部までの連結片部Ｒと中途部Ｅから基端部までの支持片部Ｓとを一体成形して、中途部Ｅが突出した山形形状、くの字形状又はへの字形状に形成されている。第１リンク６Ａの支持片部Ｓと第２リンク６Ｂの支持片部Ｓとは、各脚体３の支柱３ａの側面に添接して支軸４で支持されている。
【００２３】
各リンク６Ａ、６Ｂにおいて、連結ピン５から支軸４を通る線を中心線Ｃとした場合に、前記第１リンク６Ａの連結片部Ｒと第２リンク６Ｂの連結片部Ｒとは、脚体閉脚時において、連結ピン５から支軸４を通る第１リンク６Ａの中心線Ｃと連結ピン５から支軸４を通る第２リンク６Ｂの中心線Ｃとが鋭角の挟角Ｃθになるように、互いに近づいて交差する挟持縁Ｒａを有している。
【００２４】
前記第１リンク６Ａの連結片部Ｒの挟持縁Ｒａと第２リンク６Ｂの連結片部Ｒの挟持縁Ｒａとは、脚体閉脚時において、挟持縁Ｒａの挟角Ｒθが略鈍角になるように、前記各中心線Ｃと交差している。
即ち、図３において、２点鎖線で示すリンク１６は従来技術のものであって、各リンク１６の幅方向両側縁（挟持縁）は連結ピン５から支軸４を通るリンク１６の中心線Ｃと略平行に形成されており、脚体３を閉じるときには、２つの中心線Ｃは連結ピン５を中心に挟角Ｃθが鋭角になり、互いに近づいて交差するリンク１６の側縁（挟持縁）も同じ鋭角の挟角Ｃθになる。また、リンク１６は挟持縁と反対側の縁も支柱３ａとの間に鋭角の挟持空間を形成する。
【００２５】
これに対して、第１リンク６Ａの連結片部Ｒの挟持縁Ｒａと第２リンク６Ｂの連結片部Ｒの挟持縁Ｒａとが、各中心線Ｃと交差している（リンクの挟持側の側縁が中心線Ｃと平行でなく、中心線Ｃを超えて反対側まで凹んでいる。）。この挟持縁Ｒａが中心線Ｃと交差していると、脚体閉脚時において、挟持縁Ｒａの挟角Ｒθが挟角Ｃθより大きい角度になり、８０度、８５度、９０度以上等を含む略鈍角の異物を挟まない角度になる。
【００２６】
前記各リンク６の連結片部Ｒは、挟持縁Ｒａとリンク幅方向反対側の縁は、挟持縁Ｒａと略平行であって、連結片部Ｒは全長が略均一幅になっている。
前記リンク６は連結片部Ｒに略鈍角の挟角Ｒθを形成する挟持縁Ｒａを設けるだけでもリンクを構成できるが、連結片部Ｒに繋がる支持片部Ｓにも、脚体閉脚時において互いに近づいて対向する対向縁Ｓａを有するので、挟持縁Ｒａから山形又はくの字に屈曲して連続するように形成すると、この対向縁Ｓａは中心線Ｃと交差することになり、脚体閉脚時において、第１リンク６Ａの支持片部Ｓの対向縁Ｓａと第２リンク６Ｂの支持片部Ｓの対向縁Ｓａとは略平行に対向するように配置され、両者間は三角形の空間ではなく、略矩形状の空間を形成できるようになる。また、脚体閉脚時には各リンク６の支持片部Ｓ全体が支柱３ａと略平行になって、支柱３ａと重合した姿勢になる。
【００２７】
前記各リンク６の支持片部Ｓを全長に亘ってリンク幅を略均一にすると、前記対向縁Ｓａと幅方向反対側の対向外縁Ｓｂは対向縁Ｓａと略平行になり、脚体閉脚時には支柱３ａと略平行になって、支柱３ａと重合した姿勢になる。なお、対向縁Ｓａ及び対向外縁Ｓｂは、脚体開脚時の姿勢で下向き突出の湾曲状に形成されており、引っ張り力が加わったときに、弾力的に吸収できるようになっている。
【００２８】
前記支持片部Ｓの対向外縁Ｓｂは、脚体開脚時には対向縁Ｓａより上側に位置し、かつリンク基端部から中途部側へ上向き傾斜姿勢になるので、支柱３ａと重合した状態が維持される。
従って、第１リンク６Ａの支持片部Ｓの対向外縁Ｓｂと第２リンク６Ｂの支持片部Ｓの対向外縁Ｓｂとは、開脚から閉脚まで脚体開閉動作中常に、支柱３ａの側面と略全長に亘って重合しており、支柱３ａとの間に拡縮される鋭角の挟持部を形成することはない。
【００２９】
図９、１０は脚体開き止め装置１の連結リンクの変形例を示している。連結リンク６は第１リンク６Ａと第２リンク６Ｂとを有し、両リンク６Ａ、６Ｂは、それぞれの基端部が支軸４、４によって脚体３の支柱３ａの側面に添接するように回動自在に取り付けられ、両先端部が連結ピン５によって互いに連結されている。
第１リンク６Ａ及び第２リンク６Ｂはそれぞれ、先端部にストッパ突起６ｃが設けられ、さらに他方のストッパ突起６ｃと当接するストッパ受け部６ｄが設けられている。
【００３０】
前記第１リンク６Ａと第２リンク６Ｂとはそれぞれ、中途部Ｅから先端部までの連結片部Ｒと中途部Ｅから基端部までの支持片部Ｓとを一体成形して、円弧の山形形状に形成されている。第１リンク６Ａの支持片部Ｓと第２リンク６Ｂの支持片部Ｓとは、各脚体３の支柱３ａの側面に添接して支軸４で支持されている。
各リンク６Ａ、６Ｂにおいて、連結ピン５から支軸４を通る線を中心線Ｃとした場合に、前記第１リンク６Ａの連結片部Ｒと第２リンク６Ｂの連結片部Ｒとは、脚体閉脚時において、連結ピン５から支軸４を通る第１リンク６Ａの中心線Ｃと連結ピン５から支軸４を通る第２リンク６Ｂの中心線Ｃとが鋭角の挟角Ｃθになるように、互いに近づいて交差する挟持縁Ｒａを有している。
【００３１】
前記第１リンク６Ａの連結片部Ｒの挟持縁Ｒａと第２リンク６Ｂの連結片部Ｒの挟持縁Ｒａとは、脚体閉脚時において、挟持縁Ｒａの挟角Ｒθが略鈍角になるように、前記各中心線Ｃと交差している。
前記リンク６は支持片部Ｓが連結片部Ｒと円弧状に繋がっているので、脚体閉脚時において互いに近づいて対向する支持片部Ｓの対向縁Ｓａも挟持縁Ｒａから円弧状に連続するように形成すると、この対向縁Ｓａは中心線Ｃと交差することになる。
【００３２】
前記各リンク６の連結片部Ｒと支持片部Ｓとは全長に亘ってリンク幅が略均一になっており、前記対向縁Ｓａとリンク幅方向反対側の対向外縁Ｓｂは対向縁Ｓａと略平行になり、脚体閉脚時には支柱３ａと重合した姿勢になる。前記支持片部Ｓの対向外縁Ｓｂは、脚体開脚時には対向縁Ｓａより上側に位置し、かつリンク基端部から中途部側へ上向き傾斜姿勢になるので、支柱３ａと重合した状態が維持される。
【００３３】
なお、各リンク６の連結片部Ｒにおける挟持縁Ｒａとリンク幅方向反対側の縁は、脚体開閉動作時に鋭角の挟持空間を形成するが、その縁は上向き凸の円弧形状であるので、異物の挟み込みは、従来のリンク１６に比して減少する。
なお、本発明は前記実施形態に限定されるものではなく、部材の形状、構成及び組み合わせ等を変更したりすることもできる。
【００３４】
例えば、各リンク６は連結ピン５用の穴部及び支軸４用の穴部の形状が表裏で異なっているが、表裏同一形状にして、第１リンク６Ａと第２リンク６Ｂとを同一のものを使用できるようにしてもよい。
【符号の説明】
【００３５】
１        脚体開き止め装置
２        踏み台
３        脚体
３ａ      支柱
３ｂ      桟部材
４        支軸
５        連結ピン
６        リンク（連結リンク）
６Ａ      第１リンク
６Ｂ      第２リンク
６ｃ      ストッパ突起
６ｄ      ストッパ受け部
７        連結具
８        ヒンジブラケット
９        枢支軸
１６      リンク
Ｃ        中心線
Ｅ        中途部
Ｒ        連結片部
Ｒθ      挟角
Ｒａ      挟持縁
Ｓ        支持片部
Ｓａ      対向縁
Ｓｂ      対向外縁
【図１】
2020183659.tif 000003
【図２】
2020183659.tif 000004
【図３】
2020183659.tif 000005
【図４】
2020183659.tif 000006
【図５】
2020183659.tif 000007
【図６】
2020183659.tif 000008
【図７】
2020183659.tif 000009
【図８】
2020183659.tif 000010
【図９】
2020183659.tif 000011
【図１０】
2020183659.tif 000012